(57)【特許請求の範囲】
【請求項１】
矩形枠状の第１フレームと、
該第１フレームに重ねて配置された矩形枠状の第２フレームと、
前記第１フレームと前記第２フレームとの間に挟持された表示パネルと、
前記第１フレームの前記表示パネル側の面に設けられ、当該第１フレームの辺に沿って延在するように設けられた滑り止め部材と、
を有する表示装置であって、
前記滑り止め部材の前記表示パネル側に位置するパネル支持面には、前記滑り止め部材の延在方向に沿って当該延在方向に直交する幅方向に延在する溝が複数設けられていることを特徴とする表示装置。
【請求項２】
前記滑り止め部材の延在方向において前記溝の形成密度が等しいことを特徴とする請求項１に記載の表示装置。
【請求項３】
前記滑り止め部材の延在方向における中央部では、当該滑り止め部材の延在方向における端部より前記溝の形成密度が低いことを特徴とする請求項１に記載の表示装置。
【請求項４】
前記滑り止め部材は、前記表示パネル側の４つの辺の各々に沿って延在する第１部分、第２部分、第３部分および第４部分を備え、
前記溝は、前記第１部分、前記第２部分、前記第３部分および前記第４部分のいずれの部分にも設けられていることを特徴とする請求項１乃至３の何れか一項に記載の表示装置。
【請求項５】
前記滑り止め部材は、前記表示パネル側の４つの辺の各々に沿って延在する第１部分、第２部分、第３部分および第４部分を備え、
前記溝は、前記第１部分、前記第２部分、前記第３部分および前記第４部分のうち、一部の部分のみに設けられていることを特徴とする請求項１乃至３の何れか一項に記載の表示装置。
【請求項６】
前記第１フレームの前記表示パネル側の面には、前記表示パネルに向けて突出して前記表示パネル側に当接するパネル支持用凸部が設けられていることを特徴とする請求項１乃至５の何れか一項に記載の表示装置。
【請求項７】
前記滑り止め部材は、ゴム製シートであることを特徴とする請求項１乃至６の何れか一項に記載の表示装置。
【請求項８】
前記溝は、前記滑り止め部材自身に形成されていることを特徴とする請求項７に記載の表示装置。
【請求項９】
前記溝は、前記第１フレームにおいて前記滑り止め部材と重なる領域に形成された凹部が前記パネル支持面に反映されてなることを特徴とする請求項１乃至６の何れか一項に記載の表示装置。
【請求項１０】
前記表示パネルは、液晶パネルであることを特徴とする請求項１乃至９の何れか一項に記載の表示装置。
【請求項１１】
請求項１乃至１０の何れか一項に記載の表示装置を備えていることを特徴とする電子機器。
【発明の詳細な説明】
【技術分野】
【０００１】
本発明は、表示パネルがフレームの間に挟持された表示装置、および該表示装置を備えた電子機器に関するものである。
【背景技術】
【０００２】
表示パネルが第１フレームと第２フレームとの間に挟持された構造の表示装置では、第１フレームの表示パネル側の面に、ゴムクッション等の緩衝体を設けた構造が提案されている（例えば、特許文献１、２参照）。かかる構成によれば、表示パネルのずれを防止することができる。
【先行技術文献】
【特許文献】
【０００３】
【特許文献１】特開２００８−２９９１８１号公報
【特許文献２】特開２０１０−７３５０６号公報
【発明の概要】
【発明が解決しようとする課題】
【０００４】
しかしながら、特許文献１、２のように、第１フレームと表示パネルとの間にゴムクッション等を設けると、ゴムクッションの表面は滑り性が極めて低いため、表示装置の組み立て工程において、ゴムクッションに重なるように表示パネルを配置した後、表示パネルの位置をずらして表示パネルの位置を調整しようとした際に表示パネルがずれないという問題点がある。
【０００５】
以上の問題点に鑑みて、本発明の課題は、第１フレームと第２フレームとの間に挟持された表示パネルの位置ずれを防止するとともに、組み立て工程において表示パネルの位置調整を容易に行うことのできる表示装置、および当該表示装置を備えた電子機器を提供することにある。
【課題を解決するための手段】
【０００６】
上記課題を解決するために、本発明は、矩形枠状の第１フレームと、該第１フレームに重ねて配置された矩形枠状の第２フレームと、前記第１フレームと前記第２フレームとの間に挟持された表示パネルと、前記第１フレームの前記表示パネル側の面に設けられ、当該第１フレームの辺に沿って延在するように設けられた滑り止め部材と、を有する表示装置であって、前記滑り止め部材の前記表示パネル側に位置するパネル支持面には、前記滑り止め部材の延在方向に沿って当該延在方向に直交する幅方向に延在する溝が複数設けられていることを特徴とする。
【０００７】
なお、本発明において、「表示パネル側」における「表示パネル」とは、表示パネルが直接、第１フレームと第２フレームとの間に挟持された場合には「表示パネル単体」を意味し、表示パネルが偏光板等の部材を介して第１フレームと第２フレームとの間に挟持された場合には、「表示パネル＋偏光板等の部材」を意味する。
【０００８】
本発明では、第１フレームと第２フレームとの間に表示パネルが挟持されているとともに、第１フレームの表示パネル側の面には、第１フレームの辺に沿って延在するように滑り止め部材が設けられているため、第１フレームと第２フレームとの間に表示パネルが挟持された状態において、表示パネルの位置ずれが滑り止め部材によって防止される。また、滑り止め部材の表示パネル側に位置するパネル支持面には、滑り止め部材の延在方向に沿ってその延在方向に直交する幅方向に延在する溝が複数設けられているため、滑り止め部材のパネル支持面では、幅方向への滑り性が高められている。このため、表示装置の組み立て工程において、滑り止め部材に重なるように表示パネルを配置した状態では、表示パネルを溝の延在方向にずらすことができるので、表示パネルの位置を容易に調整することができる。
【０００９】
本発明において、前記滑り止め部材の延在方向において前記溝の形成密度が等しい構成を採用することができる。
【００１０】
本発明において、前記滑り止め部材の延在方向における中央部では、当該滑り止め部材の延在方向における端部より前記溝の形成密度が低い構成を採用することができる。このように構成すると、滑り止め部材の両端部ではある程度の滑り性を実現することができる一方、中央部では滑り性が低い。このため、表示装置の組み立て工程において、表示パネルを溝の延在方向にずらして位置調整を行う際、滑り止め部材の両端部に荷重が大きく加わっても、表示パネルを溝の延在方向に容易にずらすことができる。また、第１フレームと第２フレームとの間に表示パネルが挟持された状態では、表示パネルの位置ずれを防止することができる。
【００１１】
本発明において、前記滑り止め部材は、前記表示パネル側の４つの辺の各々に沿って延在する第１部分、第２部分、第３部分および第４部分を備え、前記溝は、前記第１部分、前記第２部分、前記第３部分および前記第４部分のいずれの部分にも設けられている構成を採用することができる。
【００１２】
本発明において、前記滑り止め部材は、前記表示パネル側の４つの辺の各々に沿って延在する第１部分、第２部分、第３部分および第４部分を備え、前記溝は、前記第１部分、前記第２部分、前記第３部分および前記第４部分のうち、一部の部分のみに設けられている構成を採用することができる。
【００１３】
本発明において、前記第１フレームの前記表示パネル側の面には、前記表示パネルに向けて突出して前記表示パネル側に当接するパネル支持用凸部が設けられていることが好ましい。かかる構成によれば、第１フレームと第２フレームとの間に表示パネルが挟持された状態では、表示パネル側とパネル支持用凸部とが当接するので、表示パネルが傾くことを防止することができる。
【００１４】
本発明において、前記滑り止め部材は、例えば、ゴム製シートである。この場合、前記溝は、前記滑り止め部材自身に形成されている構成を採用することができる。
【００１５】
本発明において、前記溝は、前記第１フレームにおいて前記滑り止め部材と重なる領域に形成された凹部が前記パネル支持面に反映されてなる構成を採用してもよい。
【００１６】
本発明において、前記表示パネルは、例えば、液晶パネルである。
【００１７】
本発明に係る表示装置は、薄型テレビ等の電子機器に用いられる。
【図面の簡単な説明】
【００１８】
【図１】本発明の実施の形態１に係る表示装置を備えた液晶テレビ（電子機器）の説明図である。
【図２】本発明の実施の形態１に係る表示装置の全体構成を示す説明図である。
【図３】本発明の実施の形態１に係る表示装置をさらに細かく分解したときの分解斜視図である。
【図４】本発明の実施の形態１に係る表示装置の断面図である。
【図５】本発明の実施の形態１に係る表示装置の照明装置に用いた光源用基板周辺の説明図である。
【図６】本発明の実施の形態１に係る表示装置において第１フレームの突板部に滑り止め部材が設けられている様子を示す平面図である。
【図７】本発明の実施の形態１に係る表示装置に用いた滑り止め部材の説明図である。
【図８】本発明の実施の形態１に係る表示装置において第１フレームの突板部の上面の様子を示す説明図である。
【図９】本発明の実施の形態１に係る表示装置において第１フレームの突板部の下面の様子を示す説明図である。
【図１０】本発明の実施の形態２に係る表示装置において第１フレームの突板部に滑り止め部材が設けられている様子を示す平面図である。
【図１１】本発明の実施の形態２に係る表示装置に用いた滑り止め部材の説明図である。
【図１２】本発明の実施の形態３に係る表示装置に用いた滑り止め部材の説明図である。
【図１３】本発明の実施の形態４に係る表示装置に用いた滑り止め部材の説明図である。
【図１４】本発明の実施の形態５に係る表示装置に用いた滑り止め部材の説明図である。
【図１５】本発明の実施の形態６に係る表示装置に用いた滑り止め部材の溝の形状を示す説明図である。
【図１６】本発明の実施の形態７に係る表示装置において第１フレームの突板部の上面の様子を示す説明図である。
【図１７】本発明の実施の形態８に係る表示装置において第１フレームの突板部の上面の様子を示す説明図である。
【発明を実施するための形態】
【００１９】
図面を参照して、薄型の液晶テレビ用の表示装置に本発明を適用した形態を説明する。なお、以下の説明で参照する図においては、各層や各部材を図面上で認識可能な程度の大きさとするため、各層や各部材毎に縮尺を異ならしめてある。また、以下の説明では、導光板や液晶パネルの面内方向で互いに交差する方向の一方（図に示す導光板や液晶パネル（表示パネル）の長辺が延在する方向）をＸ軸方向とし、他方（図に示す導光板や液晶パネルの短辺が延在する方向）をＹ軸方向とし、Ｘ軸方向およびＹ軸方向に交差する方向（図に示す導光板と液晶パネルとが積層される方向）をＺ軸方向とする。また、以下に参照する図面では、Ｘ軸方向の一方側をＸ１側とし、他方側をＸ２側とし、Ｙ軸方向の一方側（液晶パネルの張り出し部分が配置される方向）をＹ１側とし、これと対向する他方側をＹ２側とし、Ｚ軸方向の一方側（導光板の背面に向けられた方向）をＺ１側（下側）とし、これと対向する他方側（照明光や表示光が出射される側）をＺ２側（上側）として表してある。
【００２０】
［実施の形態１］
（全体構成）
図１は、本発明の実施の形態１に係る表示装置を備えた液晶テレビ（電子機器）の説明図であり、図１（ａ）、（ｂ）は、液晶テレビの外観を模式的に示す説明図、および表示装置の電気的構成を示すブロック図である。
【００２１】
図１（ａ）に示す電子機器２０００は液晶テレビであり、表示装置１００やテレビ用のフレーム２０１０等を有している。表示装置１００は、後述する表示パネル１０と、表示パネル１０に画像信号を供給する画像信号供給部２７０と、表示パネル１０に照明光を供給する照明装置８とを有している。また、表示装置１００は、表示パネル１０においてＸ軸方向に延在する走査線を駆動する走査線駆動回路１０４と、表示パネル１０においてＹ軸方向に延在するデータ線を駆動するデータ線駆動回路１０１とを有している。走査線駆動回路１０４およびデータ線駆動回路１０１については、双方が表示パネル１０に内蔵された構成を採用することができる。また、走査線駆動回路１０４およびデータ線駆動回路１０１のうちの一方が表示パネル１０に内蔵され、他方が表示パネル１０にＣＯＧ実装された駆動用ＩＣに内蔵された構成を採用することができる。また、走査線駆動回路１０４およびデータ線駆動回路１０１のうちの一方が表示パネル１０に内蔵され、他方が表示パネル１０に電気的に接続された回路基板に実装された駆動用ＩＣに内蔵された構成を採用することができる。さらには、走査線駆動回路１０４およびデータ線駆動回路１０１の双方が表示パネル１０とは別体の駆動用ＩＣに内蔵された構成を採用することができる。
【００２２】
本形態において、照明装置８は、表示パネル１０に重ねて配置された導光板８０と、導光板８０の側端面のうち、光入射部８０ａとされた側端面に沿って配置された複数の発光素子８９と、複数の発光素子８９が実装された光源用基板８８と、発光素子８９を駆動する光源駆動部２８０とを有している。本形態において、表示パネル１０は横長の四角形であり、４つの辺１０ａ、１０ｂ、１０ｃ、１０ｄを有している。これらの辺１０ａ、１０ｂ、１０ｃ、１０ｄのうち、辺１０ａはＹ軸方向の一方側Ｙ１に位置する長辺であり、辺１０ｂはＹ軸方向の他方側Ｙ２に位置する長辺であり、辺１０ｃはＸ軸方向の一方側Ｘ１に位置する短辺であり、辺１０ｄはＸ軸方向の他方側Ｘ２に位置する短辺である。かかる形状に対応して、導光板８０は、４つの側端面８０１、８０２、８０３、８０４を有している。これらの側端面８０１、８０２、８０３、８０４のうち、側端面８０１はＹ軸方向の一方側Ｙ１の長辺に位置し、側端面８０２はＹ軸方向の他方側Ｙ２の長辺に位置し、側端面８０３はＸ軸方向の一方側Ｘ１の短辺に位置し、側端面８０４はＸ軸方向の他方側Ｘ２の短辺に位置する。本形態では、導光板８０の４つの側端面８０１、８０２、８０３、８０４のうち、短辺方向（Ｙ軸方向）で対向する２つの側端面８０１、８０２が光入射部８０ａになっている。このため、発光素子８９は、導光板８０の２つの側端面８０１、８０２（光入射部８０ａ）に沿って配列され、光源用基板８８は、導光板８０の２つの側端面８０１、８０２（光入射部８０ａ）に沿って延在している。
【００２３】
（表示装置１００の具体的構成）
図２は、本発明の実施の形態１に係る表示装置１００の全体構成を示す説明図であり、図２（ａ）、（ｂ）は、表示装置１００の斜視図および分解斜視図である。図３は、本発明の実施の形態１に係る表示装置１００をさらに細かく分解したときの分解斜視図である。図４は、本発明の実施の形態１に係る表示装置１００の断面図であり、図４（ａ）、（ｂ）は、表示装置１００を図１（ａ）のＡ−Ａ′線に沿って切断したときの断面図、および表示装置１００を図１（ａ）のＢ−Ｂ′線に沿って切断したときの断面図である。
【００２４】
図２、図３および図４において、本形態の表示装置１００は、概ね、いわゆるバックライト装置と称せられる照明装置８と、この照明装置８の上面に重ねて配置された透過型の表示パネル１０とを備えている。表示装置１００において、照明装置８は、下側（Ｚ軸方向の一方側Ｚ１）で導光板８０の背面を覆って配置された金属製のフレーム４０（下金枠）と、フレーム４０の上方で表示パネル１０の端部を保持するとともに照明装置８を囲って保持する樹脂製の第１フレーム３０（樹脂フレーム）と、第１フレーム３０の上側（Ｚ軸方向の他方側Ｚ２）に配置された金属製の第２フレーム５０（上金枠）とを備えている。
【００２５】
第１フレーム３０は、表示パネル１０の端部を保持するとともに表示パネル１０の周りを囲む矩形枠状を有しており、本形態において、第１フレーム３０は、表示パネル１０の４つの辺に対応して辺毎に分割された４本のフレーム板３１、３２、３３、３４からなる。本形態において、第１フレーム３０は黒色であり、光吸収部材として機能することによって、照明装置８内での迷光の発生を防止する。フレーム板３１、３２、３３、３４は各々、フレーム板３１、３２、３３、３４の外面側で下方に延在する側板部３１１、３２１、３３１、３４１と、側板部３１１、３２１、３３１、３４１の上端縁から内側に向かって屈曲した上板部３１５、３２５、３３５、３４５（端板部）と、上板部３１５、３２５、３３５、３４５の高さ方向の途中位置から内側に張り出した突板部３１２、３２２、３３２、３４２とを備えている。このため、フレーム板３１、３２、３３、３４の内側には、突板部３１２、３２２、３３２、３４２によって段部３１３、３２３、３３３、３４３が形成されており、かかる段部３１３、３２３、３３３、３４３と突板部３１２、３２２、３３２、３４２とによって表示パネル１０が保持されている。また、突板部３１２、３２２、３３２、３４２の下側には、照明装置８の導光板８０や発光素子８９等が配置されている。
【００２６】
最も下側のフレーム４０は、ＳＵＳ板等の薄い金属板に対するプレス加工等により形成されてなる。フレーム４０は、底板部４５と、底板部４５の外周縁のうち、Ｙ軸方向の一方側Ｙ１を除く３つの辺から起立する３つの側板部４２、４３、４４とを備えており、上面が開口する矩形の箱状になっている。かかるフレーム４０の側板部４２、４３、４４の外側に第１フレーム３０の側板部３２１、３３１、３４１が重なっている。また、第１フレーム３０の側板部３１１は、フレーム４０のＹ軸方向の一方側Ｙ１を覆っている。
【００２７】
第２フレーム５０も、フレーム４０と同様、ＳＵＳ板等の薄い金属板に対するプレス加工等により矩形枠状に形成されてなる。第２フレーム５０は、矩形の上板部５５（端板部）と、上板部５５の外周縁から下方に折れ曲がった４つの側板部５１、５２、５３、５４とを備えており、下面が開口する矩形の箱状になっている。側板部５１、５２、５３、５４は、第１フレーム３０の側板部３１１、３２１、３３１、３４１の外側を覆って重ねられている。上板部５５には、表示パネル１０から出射された光を出射する矩形の窓５５０が形成されており、上板部５５は、表示パネル１０の表示光出射側のうち、外周端部を全周にわたって覆っている。また、第２フレーム５０の上板部５５は、同時に、第１フレーム３０の上板部３１５、３２５、３３５、３４５（端板部）の上方を完全に覆って設置されている。
【００２８】
このように構成した第２フレーム５０、第１フレーム３０、およびフレーム４０はネジ（図示せず）等により結合されて、内側に表示パネル１０や照明装置８を保持する。ここで、第１フレーム３０の突板部３１２、３２２、３３２、３４２の下面および上面には、図４に示すように、滑り止め部材７、９が貼られている。このため、表示装置１００を組み立てた際、表示パネル１０は滑り止め部材９を介して突板部３１２、３２２、３３２、３４２に支持される。また、表示装置１００を組み立てた際、照明装置８の光学シート（拡散シート１８２、プリズムシート１８３、１８４等）は滑り止め部材７を介して浮きや位置ズレが生じないように抑えられている。かかる滑り止め部材７、９のうち、滑り止め部材９の詳細な構成は、図６、図７および図８等を参照して後述する。
【００２９】
（表示パネル１０の構成）
図２、図３および図４に示すように、表示パネル１０は、四角形の平面形状を有する液晶パネルであり、画素電極（図示せず）等が形成された素子基板１１と、素子基板１１に対して所定の隙間を介して対向配置された対向基板１２と、この対向基板１２と素子基板１１とを貼り合せる矩形枠状のシール材１４とを備えている。かかる表示パネル１０では、シール材１４で囲まれた領域内に液晶層１３が保持されている。素子基板１１および対向基板１２はガラス基板等の透光性基板からなる。素子基板１１では、Ｘ軸方向に複数本の走査線（図示せず）が延在している一方、Ｙ軸方向には複数本のデータ線（図示せず）が延在しており、走査線とデータ線との交差に対応して、スイッチング素子（図示せず）および画素電極（図示せず）が設けられている。
【００３０】
本形態では、対向基板１２が表示光の出射側に配置され、素子基板１１は照明装置８の側に配置されている。また、対向基板１２において、素子基板１１と対向する面には、シール材１４の４つの辺の内縁に沿って、矩形枠状の遮光層からなる額縁層１２０が形成されており、額縁層１２０の内縁により規定された領域が画像表示領域１００ａである。なお、第２フレーム５０の上板部５５の内縁は、額縁層１２０の幅方向の途中位置にあり、第２フレーム５０の窓５５０は、画像表示領域１００ａおよび額縁層１２０の内縁部分と重なっている。
【００３１】
表示パネル１０は、ＴＮ（Twisted Nematic）方式、ＥＣＢ（Electrically Controlled Birefringence）方式、あるいはＶＡＮ（Vertical Aligned Nematic）方式の液晶パネルとして構成されており、素子基板１１に画素電極が形成され、対向基板１２に共通電極（図示せず）が形成されている。なお、表示パネル１０がＩＰＳ（In Plane Switching）方式や、ＦＦＳ（Fringe Field Switching）方式の液晶パネルである場合、共通電極は、素子基板１１の側に設けられる。また、素子基板１１が対向基板１２に対して表示光の出射側に配置されることもある。表示パネル１０の上面には上偏光板１８が重ねて配置され、表示パネル１０の下面と照明装置８との間には下偏光板１７が配置されている。
【００３２】
本形態において、上偏光板１８および下偏光板１７は、表示パネル１０に接着固定されて表示パネル１０と一体になっている。このため、以下の説明において、「表示パネル１０側」における「表示パネル」とは、表示パネル１０、上偏光板１８および下偏光板１７が一体になっているパネルを意味する。
【００３３】
本形態において、素子基板１１は対向基板１２より大きい。このため、素子基板１１は、Ｙ軸方向の一方側Ｙ１において対向基板１２の端部から張り出した張り出し部分１１０を有しており、かかる張り出し部分１１０の上面にはフレキシブル配線基板２００が接続されている。フレキシブル配線基板２００は、複数枚のフレキシブル配線基板を接続した構造を有しており、かかるフレキシブル配線基板２００に、図１を参照して説明した画像信号供給部２７０を構成する制御用ＩＣ（図示せず）や、光源駆動部２８０を構成する光源駆動用ＩＣ（図示せず）が実装されている。
【００３４】
（照明装置８の構成）
図５は、本発明の実施の形態１に係る表示装置１００の照明装置８に用いた光源用基板８８周辺の説明図であり、図５（ａ）、（ｂ）は、光源用基板８８の一方面８８１側の様子を模式的に示す説明図、および光源用基板８８の他方面８８２側の様子を模式的に示す説明図である。なお、導光板８０のＹ軸方向で相対向する２つの側端面８０１、８０２（光入射部８０ａ）に配置された発光素子８９や光源用基板８８の構成は同一である。従って、図５（ａ）には、導光板８０の側端面８０２に配置された発光素子８９や光源用基板８８を示し、図５（ｂ）には、導光板８０の側端面８０１に配置された光源用基板８８等を示してある。
【００３５】
図３および図４に示すように、照明装置８は、表示パネル１０の下面側に重ねて配置された導光板８０と、導光板８０の光入射部８０ａに発光面８９ａを向けて光入射部８０ａの一方端側（Ｘ軸方向の一方側Ｘ１）から他方端側（Ｘ軸方向の他方側Ｘ２）に向かって配列された複数の発光素子８９とを備えている。本形態において、複数の発光素子８９は、光入射部８０ａに沿ってＸ軸方向に延在する光源用基板８８の一方面８８１に実装されている。発光素子８９は、白色光を出射するＬＥＤ（Light Emitting Diode）であり、光源光を発散光として出射する。
【００３６】
本形態の照明装置８において、導光板８０の側端面８０１、８０２、８０３、８０４のうち、Ｙ軸方向で相対向する２つの側端面８０１、８０２が光入射部８０ａとして利用されている。このため、複数の発光素子８９は、導光板８０の２つの光入射部８０ａ（側端面８０１、８０２）に発光面８９ａを向け、２つの光入射部８０ａ（側端面８０１、８０２）の各々の一方端側から他方端側に向かって配列されている。また、光源用基板８８は、２つの光入射部８０ａ（側端面８０１、８０２）に沿って２枚が延在しており、かかる２枚の光源用基板８８の各々の一方面８８１に複数の発光素子８９が実装されている。
【００３７】
本形態において、導光板８０は、アクリル樹脂やポリカーボネート樹脂等からなる透光性の樹脂板であり、導光板８０の下面８０ｃとフレーム４０の底板部４５との間には反射シート１８７が重ねて配置されている。
【００３８】
また、導光板８０の上面（光出射面８０ｂ）と表示パネル１０との間には拡散シート１８２、プリズムシート１８３、１８４等の光学シートが重ねて配置されている。拡散シート１８２は、アクリル樹脂やポリカーボネート樹脂等の透光性樹脂にシリカ粒子等を分散したコーティング層を備えたシートからなる。本形態において、２枚のプリズムシート１８３、１８４は、互いの稜線が直交するように配置されている。このため、導光板８０の光出射面８０ｂから出射された照明光は、拡散シート１８２によって全方向に拡散した後、２枚のプリズムシート１８３、１８４によって、表示パネル１０の正面方向にピークを持つような指向性が付与されている。導光板８０において、反射シート１８７が位置する側の面である下面８０ｃには、凹状の微細な窪みや、拡散部材の印刷層からなる拡散パターンが形成されており、本形態において、拡散パターンの密度は、発光素子８９から離れるに従って高くなっている。このため、導光板８０から出射される照明光の強度分布は、発光素子８９からの距離にかかわらず、均一化されている。かかる拡散パターンとして、本形態では、導光板８０の下面８０ｃに微細な凹部８０ｅが多数設けられている。
【００３９】
フレーム４０の底板部４５は、導光板８０において光入射部８０ａとなる側端面８０１、８０２が位置する側と重なる領域において、導光板８０の下面８０ｃとフレーム４０との間に隙間が確保できるように段差が部分的に形成されており、導光板８０に向けて折れ曲がっている。それにより、導光板８０の下面８０ｃと底板部４５との間に反射シート１８７と光源支持部材６０の下板部６１とを隙間の間で挟持可能になっている。また、フレーム４０の底板部４５を導光板８０に向けて部分的に折り曲げたことによってフレーム４０の背面側には凹部が形成されるので、フレーム４０の底板部４５の下面（背面）までフレキシブル配線基板２００を折り曲げて延在させるとともに、かかる凹部内に回路基板２５０が凹部の深さ内に収納されるように配置されている。このため、照明装置８の薄型化を図ることができる。
【００４０】
本形態において、光源用基板８８は、発光素子８９が実装されている一方面８８１が導光板８０の光入射部８０ａに対向するように配置されている。また、光源用基板８８は、光入射部８０ａに沿って延在する板状の金属板８８７の一方面８８１側に、配線パターンやランドが絶縁層とともに設けられた構造を有している。かかる構成は、例えば、金属板８８７の一方面８８１側に、樹脂基材層、配線パターンおよび絶縁保護層等がこの順に積層されたフレキシブル配線基板８８８を貼り合わせることにより実現することができる。従って、金属板８８７と配線パターン及び発光素子８９のチップが実装されるランドは電気的に絶縁性が確保されている。本形態において、金属板８８７はアルミニウム板からなり、金属板８８７は、光源用基板８８の機械的強度を確保するとともに、発光素子８９から発熱される熱の放熱板としても機能する。
【００４１】
図３、図４および図５に示すように、２枚の光源用基板８８の各々の他方面８８２側には、光源用基板８８を保持する光源支持部材６０が各々配置されており、光源支持部材６０は、フレーム４０および第１フレーム３０の間に配置されて保持されている。本形態において、光源支持部材６０は、光源用基板８８の他方面８８２に沿って延在する棒状の金属部品であり、光源用基板８８の他方面８８２の全面と支持板部６２の基板保持面６２０において面接触状態で密着して固定されている。また、光源支持部材６０は、フレーム４０の底板部４５に重なる下板部６１と、下板部６１の幅方向の途中位置から上方に突出した壁面を構成する支持板部６２とを有している。また、光源支持部材６０は、支持板部６２から導光板８０が位置する側とは反対側に折れ曲がった上板部６３を支持板部６２の上端側（下板部６１と反対の側）に備えており、上板部６３は、ネジ等によって第２フレーム５０の上板部５５及び第１フレーム３０の上板部３１５、３２５の少なくともいずれか一方に固定されている。
【００４２】
かかる構成の光源支持部材６０において、支持板部６２の導光板８０が位置する側の面は、光源用基板８８を保持する基板保持面６２０になっており、ネジ等によって、基板保持面６２０には光源用基板８８が固定されている。この状態で、光源用基板８８は、他方面８８２（金属板８８７）が光源支持部材６０の基板保持面６２０に重なっている。また、光源支持部材６０は、アルミニウムや鉄系金属等の金属製である。このため、発光素子８９で発生した熱は、光源用基板８８の金属板８８７から光源支持部材６０に伝達され、光源支持部材６０の熱はフレーム４０に伝達される。従って、発光素子８９の温度上昇を低く抑えることができる。
【００４３】
（滑り止め部材９の詳細構成）
図６は、本発明の実施の形態１に係る表示装置１００において第１フレーム３０の突板部３１２、３２２、３３２、３４２に滑り止め部材９が設けられている様子を示す平面図である。図７は、本発明の実施の形態１に係る表示装置１００に用いた滑り止め部材９の説明図であり、図７（ａ）、（ｂ）は、滑り止め部材９のパネル支持面を拡大して示す平面図、および滑り止め部材９をその延在方向で切断したときのＦ−Ｆ′断面図である。図８は、本発明の実施の形態１に係る表示装置１００において第１フレーム３０の突板部３１２、３２２、３３２、３４２の上面の様子を示す説明図であり、図８（ａ）、（ｂ）、（ｃ）は、突板部３１２、３２２、３３２、３４２の上面に滑り止め部材９が設けられている様子を示す斜視図、その分解図、および表示パネル１０が第１フレーム３０と第２フレーム５０との間に挟持されている様子を示す断面図である。
【００４４】
図２および図４等を参照して説明したように、本形態の表示装置１００において、表示パネル１０の端部は、第１フレーム３０の突板部３１２、３２２、３３２、３４２と、第２フレーム５０の上板部５５との間に挟持されている。また、突板部３１２、３２２、３３２、３４２の上面には滑り止め部材９が貼られており、第１フレーム３０の突板部３１２、３２２、３３２、３４２と表示パネル１０との間には滑り止め部材９が介在している。なお、本形態では、表示パネル１０には上偏光板１８および下偏光板１７が接着固定されているため、滑り止め部材９は、表示パネル１０の側のうち、下偏光板１７に接している。
【００４５】
図６および図７に示すように、滑り止め部材９は、表示パネル１０の４つの辺１０ａ、１０ｂ、１０ｃ、１０ｄの各々に対応するように、辺１０ａ、１０ｂ、１０ｃ、１０ｄの各々に沿って延在する第１部分９１、第２部分９２、第３部分９３、および第４部分９４を備えている。本形態において、滑り止め部材９はゴム製シートからなり、第１部分９１、第２部分９２、第３部分９３、および第４部分９４は各々、互いに分割された帯状のゴム製シートからなる。
【００４６】
滑り止め部材９において、表示パネル１０側に向くパネル支持面９０には、滑り止め部材９の延在方向Ｓに沿って、その延在方向Ｓに直交する幅方向Ｔに延在する溝９６が複数設けられている。このため、滑り止め部材９において、溝９６によって挟まれた領域には凸部９７が形成され、かかる凸部９７の表面９７０が実質的なパネル支持面９０として機能し、表示パネル１０側に接することになる。本形態において、溝９６は、滑り止め部材９の幅方向Ｔの全体にわたって形成されている。また、本形態において、溝９６は、滑り止め部材９の延在方向Ｓの全体にわたって、等角度間隔に形成されている。このため、滑り止め部材９の延在方向Ｓにおいて溝９６の形成密度が等しい。本形態において、溝９６の幅寸法（滑り止め部材９の延在方向Ｓにおける寸法）は、凸部９７の幅寸法（滑り止め部材９の延在方向Ｓにおける寸法）よりかなり小さく設定されている。
【００４７】
かかる滑り止め部材９を第１フレーム３０の突板部３１２、３２２、３３２、３４２の上面に設けるにあたって、本形態では、図８（ａ）、（ｂ）に示すように、突板部３１２、３２２、３３２、３４２に対する滑り止め部材９の接着領域を全周で囲むように延在するパネル支持用凸部３７が形成されており、かかるパネル支持用凸部３７によって囲まれた凹部３６の内部に滑り止め部材９が接着固定されている。ここで、パネル支持用凸部３７は、表示パネル１０が第１フレーム３０と第２フレーム５０との間に挟持される前の時点では、表示パネル１０に向けてパネル支持面９０より低い位置まで突出している。かかる構成であっても、図８（ｃ）に示すように、第１フレーム３０の突板部３１２、３２２、３３２、３４２と、第２フレーム５０の上板部５５との間に表示パネル１０を挟持すると、滑り止め部材９が圧縮されるため、パネル支持用凸部３７は、滑り止め部材９の凸部９７の表面９７０とともに、表示パネル１０側に接することになる。
【００４８】
（滑り止め部材７の詳細構成）
図９は、本発明の実施の形態１に係る表示装置１００において第１フレーム３０の突板部３１２、３２２、３３２、３４２の下面の様子を示す説明図であり、図９（ａ）、（ｂ）は、突板部３１２、３２２、３３２、３４２に滑り止め部材７が設けられている様子を示す斜視図、およびその分解図である。なお、図９では、突板部３１２、３２２、３３２、３４２において滑り止め部材７が設けられている下面を上向きに示してある。
【００４９】
図４に示す滑り止め部材７を第１フレーム３０の突板部３１２、３２２、３３２、３４２の下面に設けるにあたって、本形態では、図９（ａ）、（ｂ）に示すように、突板部３１２、３２２、３３２、３４２に対する滑り止め部材７の接着領域を全周で囲むように延在するシート支持用凸部３９が形成されており、かかるシート支持用凸部３９によって囲まれた凹部３８の内部に滑り止め部材７が接着固定されている。ここで、シート支持用凸部３９は、照明装置８が組み立てられる前の時点では、滑り止め部材７においてプリズムシート１８４等の光学シート（図４等を参照）に向けて滑り止め部材７の下面（シート支持面７０）より低い位置まで突出している。かかる構成であっても、図４に示すように、滑り止め部材７にプリズムシート１８４の端部が当接すると、滑り止め部材７が圧縮されるため、シート支持用凸部３９は、滑り止め部材７の下面（シート支持面７０）とともに、プリズムシート１８４の端部に接することになる。
【００５０】
（本形態の作用および主な効果）
以上説明したように、本形態の表示装置１００においては、第１フレーム３０の突板部３１２、３２２、３３２、３４２と、第２フレーム５０の上板部５５との間に表示パネル１０が挟持されているとともに、第１フレーム３０の突板部３１２、３２２、３３２、３４２の表示パネル１０側の面には、第１フレーム３０の辺に沿って延在するようにゴム製シートからなる滑り止め部材９が設けられている。このため、第１フレーム３０と第２フレーム５０との間に表示パネル１０が挟持された状態において、表示パネル１０の位置ずれが滑り止め部材９によって防止される。
【００５１】
また、滑り止め部材９の表示パネル１０側に位置するパネル支持面９０には、滑り止め部材９の延在方向Ｓに沿ってその延在方向Ｓに直交する幅方向Ｔに延在する溝９６が複数設けられているため、滑り止め部材９のパネル支持面９０では、滑り止め部材９の幅方向Ｔにおいて滑り性が高められている。このため、表示装置１００の組み立て工程において、滑り止め部材９に重なるように表示パネル１０を配置した状態で、表示パネル１０を溝９６の延在方向（滑り止め部材９の幅方向Ｔ）に容易にずらすことができるので、表示パネル１０の位置を調整することができる。
【００５２】
例えば、表示装置１００の組み立て工程においては、第１フレーム３０の突板部３１２、３２２、３３２、３４２に表示パネル１０を載置した後、第２フレーム５０を被せ、第１フレーム３０と第２フレーム５０とをネジ等によって連結し、第１フレーム３０の突板部３１２、３２２、３３２、３４２と、第２フレーム５０の上板部５５との間に表示パネル１０が挟持された状態とする。かかる組み立て工程において、第１フレーム３０の突板部３１２、３２２、３３２、３４２に表示パネル１０を載置した後、表示パネル１０の位置を確認し、その結果に基づいて、表示パネル１０の位置を、例えば、Ｙ軸方向の他方側Ｙ２にずらす場合がある。この場合、表示パネル１０のＹ軸方向の一方側Ｙ１の端部を持ち上げて表示パネル１０をＹ軸方向の他方側Ｙ２にずらすことになる。このような場合でも、滑り止め部材９の第２部分９２のパネル支持面９０にはＹ軸方向に延在する溝９６が形成されているため、表示パネル１０の辺１０ｂの側を滑り止め部材９の第２部分９２上で摺動させることができ、表示パネル１０の位置を容易に調整することができる。
【００５３】
また、表示パネル１０の位置を、例えば、Ｘ軸方向の他方側Ｘ２にずらす場合、表示パネル１０のＸ軸方向の一方側Ｘ１の端部を持ち上げて表示パネル１０をＸ軸方向の他方側Ｘ２にずらすことになる。このような場合でも、滑り止め部材９の第４部分９４のパネル支持面９０にはＸ軸方向に延在する溝９６が形成されているため、表示パネル１０の辺１０ｄの側を滑り止め部材９の第４部分９４上で摺動させることができ、表示パネル１０の位置を容易に調整することができる。
【００５４】
また、滑り止め部材９としてゴム製シートを用い、かかるゴム製シートに溝９６が形成されている。このため、滑り止め部材９が圧縮された際、溝９６が逃げとして機能するので、ゴム製シートが比較的、薄い部材を用いた場合でも、表示パネル１０に加わる負荷を緩和することができる。従って、表示パネル１０に過大な応力が加わらないので、表示パネル１０に歪が発生することを防止することができる。それ故、表示パネル１０に表示のムラや損傷等が発生することを防止することができる。
【００５５】
また、本形態では、第１フレーム３０には表示パネル１０に向けて突出して表示パネル１０側に当接するパネル支持用凸部３７が設けられているため、第１フレーム３０と第２フレーム５０との間に表示パネル１０が挟持された状態では、表示パネル１０側とパネル支持用凸部３７とが当接するので、滑り止め部材９としてゴム製シートを用いた場合でも、表示パネル１０が傾くことを防止することができる。
【００５６】
［実施の形態２］
図１０は、本発明の実施の形態２に係る表示装置１００において第１フレーム３０の突板部３１２、３２２、３３２、３４２に滑り止め部材９が設けられている様子を示す平面図である。図１１は、本発明の実施の形態２に係る表示装置１００に用いた滑り止め部材９の説明図であり、図１１（ａ）、（ｂ）、（ｃ）は、滑り止め部材９のパネル支持面９０を拡大して示す平面図、滑り止め部材９の中央部をその延在方向Ｓで切断したときのＦ１−Ｆ１′断面図、および滑り止め部材９の端部をその延在方向Ｓで切断したときのＦ２−Ｆ２′断面図である。なお、本形態の基本的な構成は、実施の形態１と同様であることから、共通する部分には同一の符号を付して、それらの説明を省略する。
【００５７】
図２および図４に示すように、本形態でも、実施の形態１と同様、表示パネル１０は、第１フレーム３０の突板部３１２、３２２、３３２、３４２と、第２フレーム５０の上板部５５との間に挟持されている。また、突板部３１２、３２２、３３２、３４２の上面には滑り止め部材９が貼られており、第１フレーム３０の突板部３１２、３２２、３３２、３４２と表示パネル１０との間には滑り止め部材９が介在している。なお、本形態では、表示パネル１０には上偏光板１８および下偏光板１７が接着固定されているため、滑り止め部材９は、表示パネル１０の側のうち、下偏光板１７に接している。
【００５８】
また、図１０および図１１に示すように、本形態においても、実施の形態１と同様、滑り止め部材９のパネル支持面９０には、滑り止め部材９の延在方向Ｓに沿って、その延在方向Ｓに直交する幅方向Ｔに延在する溝９６が複数設けられている。このため、滑り止め部材９において、溝９６によって挟まれた領域には凸部９７が形成され、かかる凸部９７の表面９７０が実質的なパネル支持面９０として機能する。
【００５９】
ここで、第１部分９１、第２部分９２、第３部分９３、および第４部分９４のいずれにおいても、滑り止め部材９の延在方向Ｓにおける中央部９０１では、滑り止め部材９の延在方向Ｓにおける端部９０２より溝９６の形成密度が低い。言い換えれば、滑り止め部材９の延在方向Ｓにおける端部９０２では、滑り止め部材９の延在方向Ｓにおける中央部９０１より溝９６の形成密度が高い。例えば、本形態では、滑り止め部材９の延在方向Ｓにおいて溝９６のピッチは一定である。但し、端部９０２に形成された溝９６の幅寸法（滑り止め部材９の延在方向Ｓにおける寸法）は、中央部９０１に形成された溝９６の幅寸法（滑り止め部材９の延在方向Ｓにおける寸法）より大である。例えば、中央部９０１では、溝９６の幅寸法（滑り止め部材９の延在方向Ｓにおける寸法）が、凸部９７の幅寸法（滑り止め部材９の延在方向Ｓにおける寸法）よりかなり小さく設定されているのに対して、端部９０２では、溝９６の幅寸法（滑り止め部材９の延在方向Ｓにおける寸法）が、凸部９７の幅寸法（滑り止め部材９の延在方向Ｓにおける寸法）と同等である。
【００６０】
このため、本形態の滑り止め部材９では、両方の端部９０２では、滑り性が高い一方、中央部９０１では滑り性が低い。従って、表示装置１００の組み立て工程において、表示パネル１０を溝９６の延在方向（滑り止め部材９の幅方向Ｔ）にずらして位置調整を行う際、滑り止め部材９の両側の端部９０２に荷重が大きく加わっても、表示パネル１０を溝９６の延在方向に容易にずらすことができる。また、第１フレーム３０と第２フレーム５０との間に表示パネル１０が挟持された状態では、中央部９０１の溝９６の形成密度が低いので、表示パネル１０の位置ずれを確実に防止することができる。
【００６１】
［実施の形態２の変形例］
上記の実施の形態２では、滑り止め部材９の延在方向Ｓにおける中央部９０１と端部９０２とにおいて溝９６の形成密度を変えるにあたって、溝９６のピッチについては一定で、溝９６の幅を変えた。但し、溝９６の幅寸法については一定で、溝９６によって挟まれた部分（凸部９７）の滑り止め部材９の延在方向Ｓにおける寸法を中央部９０１と端部９０２とにおいて変えることにより、中央部９０１と端部９０２とにおいて溝９６の形成密度を変えてもよい。また、溝９６によって挟まれた部分（凸部９７）の滑り止め部材９の延在方向Ｓにおける寸法については一定で、溝９６の幅寸法を中央部９０１と端部９０２とにおいて変えることにより、中央部９０１と端部９０２とにおいて溝９６の形成密度を変えてもよい。
【００６２】
また、上記実施の形態２では、滑り止め部材９を延在方向Ｓで連続する一体の部材から構成したが、中央部９０１および端部９０２を各々、別の滑り止め部材９によって構成してもよい。
【００６３】
［実施の形態３］
図１２は、本発明の実施の形態３に係る表示装置１００に用いた滑り止め部材９の説明図であり、図１２（ａ）、（ｂ）、（ｃ）は、滑り止め部材９のパネル支持面９０を拡大して示す平面図、滑り止め部材９を延在方向Ｓで切断したときのＦ３−Ｆ３′断面図、および表示パネル１０が第１フレーム３０と第２フレーム５０との間に挟持されている様子を示す断面図である。なお、本形態の基本的な構成は、実施の形態１、２と同様であることから、共通する部分には同一の符号を付して、それらの説明を省略する。
【００６４】
実施の形態２では、滑り止め部材９の延在方向Ｓにおける中央部９０１においては滑り止め部材９の延在方向Ｓにおける端部９０２より溝９６の形成密度が低くなっている構成を実現するにあたって、中央部９０１では溝９６の幅寸法を狭くし、端部９０２では溝９６の幅寸法を広くした。これに対して、本形態では、図１２（ａ）に示すように、滑り止め部材９の延在方向Ｓにおける端部９０２には溝９６を形成したが、滑り止め部材９の延在方向Ｓにおける中央部９０１には溝９６が形成されていない。かかる構成でも、滑り止め部材９の延在方向Ｓにおける中央部９０１では、滑り止め部材９の延在方向Ｓにおける端部９０２より溝９６の形成密度が低いため、実施の形態２と同様な効果を奏する。
【００６５】
ここで、端部９０２では、図１２（ｂ）に示すように、溝９６により挟まれた凸部９７の表面９７０の高さ位置（パネル支持面９０の高さ位置）は、中央部９０１におけるパネル支持面９０の高さ位置より高い。また、端部９０２では、溝９６の底部の高さ位置は、中央部９０１におけるパネル支持面９０の高さ位置より低い。このため、図１２（ｃ）に示すように、第１フレーム３０の突板部３１２、３２２、３３２、３４２と、第２フレーム５０の上板部５５との間に表示パネル１０を挟持すると、端部９０２は、中央部９０１よりも大きく圧縮される結果、表示パネル１０は、端部９０２と中央部９０１とにおいて同一の高さ位置で保持される。このため、表示パネル１０が傾くのを防止することができる。
【００６６】
［実施の形態３の変形例］
上記実施の形態３では、滑り止め部材９を延在方向Ｓで連続する一体の部材から構成したが、中央部９０１および端部９０２を各々、別の滑り止め部材９によって構成してもよい。かかる構成によれば、中央部９０１および端部９０２において溝９６の形成密度や、凸部９７の高さ等を相違させるのが容易である。
【００６７】
また、上記実施の形態３では、端部９０２に設けた凸部９７の表面９７０（パネル支持面９０）の高さ位置を中央部９０１の表面（パネル支持面９０）の高さ位置より高くしたが、端部９０２に設けた凸部９７の表面９７０（パネル支持面９０）の高さ位置を中央部９０１の表面（パネル支持面９０）の高さ位置と同等にしてもよい。かかる構成を採用すれば、滑り止め部材９を延在方向Ｓで連続する一体の部材から構成して部品点数の削減を図った場合でも、滑り止め部材９のうち、溝９６が形成されている部分を端部９０２に配置することにより、中央部９０１と端部９０２とにおいて溝９６の形成密度を変えることができる。
【００６８】
なお、端部９０２のパネル支持面９０の高さ位置を中央部９０１のパネル支持面９０の高さ位置より高くした構成については、実施の形態２のように、中央部９０１および端部９０２の双方に溝９６を設けた場合に適用してもよい。
【００６９】
［実施の形態４］
図１３は、本発明の実施の形態４に係る表示装置１００に用いた滑り止め部材９の説明図であり、図１３（ａ）、（ｂ）、（ｃ）は、滑り止め部材９等の平面図、Ｆ５−Ｆ５′断面図、および表示パネル１０が第１フレーム３０と第２フレーム５０との間に挟持されている様子を示す断面図である。なお、本形態の基本的な構成は、実施の形態１、２、３と同様であることから、共通する部分には同一の符号を付して、それらの説明を省略する。
【００７０】
実施の形態１、２、３では、滑り止め部材９の第１部分９１、第２部分９２、第３部分９３、第４部分９４のいずれにも溝９６を形成した。これに対して、本形態では、図１３（ａ）、（ｂ）に示すように、表示パネル１０の長辺（辺１０ａ、１０ｂ）に沿って延在する第１部分９１および第２部分９２に溝９６が形成されているが、表示パネル１０の短辺（辺１０ｃ、１０ｄ）に沿って延在する第３部分９３および第４部分９４には溝９６が形成されていない。すなわち、表示パネル１０をＹ軸方向に移動させる際には、表示パネル１０の長辺（辺１０ａ、１０ｂ）のうちの一方の端部を持ち上げて、他方の端部を滑り止め部材９のパネル支持面９０上で摺動させる。この場合には、表示パネル１０の長辺側が滑り止め部材９と接触するため、接触面積が広い。このため、摩擦力が大きいが、本形態によれば、溝９６が形成されている分、接触面積が狭いので、表示パネル１０の位置を容易にずらすことができる。
【００７１】
これに対して、表示パネル１０をＸ軸方向に移動させる際には、表示パネル１０の短辺（辺１０ｃ、１０ｄ）のうちの一方の端部を持ち上げて、他方の端部を滑り止め部材９のパネル支持面９０上で摺動させる。この場合には、表示パネル１０の短辺側が滑り止め部材９と接触するため、接触面積が狭い。このため、摩擦力が小さいので、溝９６が形成されていなくても、表示パネル１０の位置を容易にずらすことができる。
【００７２】
かかる構成の場合、図１３（ｂ）に示すように、滑り止め部材９の第１部分９１および第２部分９２において、溝９６により挟まれた凸部９７の表面９７０の高さ位置（パネル支持面９０の高さ位置）は、溝９６が形成されていない第３部分９３および第４部分９４のパネル支持面９０の高さ位置より高い。また、溝９６の底部の高さ位置は、第３部分９３および第４部分９４のパネル支持面９０の高さ位置より低い。このため、図１３（ｃ）に示すように、第１フレーム３０の突板部３１２、３２２、３３２、３４２と、第２フレーム５０の上板部５５との間に表示パネル１０を挟持すると、第１部分９１および第２部分９２は、第３部分９３および第４部分９４より大きく圧縮される結果、表示パネル１０は、第１部分９１、第２部分９２、第３部分９３および第４部分９４において同一の高さ位置で保持される。このため、表示パネル１０が傾くのを防止することができる。
【００７３】
［実施の形態４の変形例］
上記実施の形態４では、滑り止め部材９の第１部分９１および第２部分９２において、溝９６により挟まれた凸部９７の表面９７０の高さ位置（パネル支持面９０の高さ位置）を、溝９６が形成されていない第３部分９３および第４部分９４のパネル支持面９０の高さ位置より高くした。但し、滑り止め部材９の第１部分９１および第２部分９２において、溝９６により挟まれた凸部９７の表面９７０の高さ位置（パネル支持面９０の高さ位置）と、溝９６が形成されていない第３部分９３および第４部分９４のパネル支持面９０の高さ位置とを同等としてもよい。
【００７４】
［実施の形態５］
図１４は、本発明の実施の形態５に係る表示装置１００に用いた滑り止め部材９の説明図である。なお、本形態の基本的な構成は、実施の形態１〜４と同様であることから、共通する部分には同一の符号を付して、それらの説明を省略する。
【００７５】
実施の形態１〜４では、滑り止め部材９としてゴム製シートを用い、かかるゴム製シート自身に溝９６が形成されている構成であったが、本形態では、第１フレーム３０の突板部３１２、３２２、３３２、３４２の上面に凹部３５が形成されている。また、突板部３１２、３２２、３３２、３４２には、滑り止め部材９としての薄いゴム層や弾性樹脂層が形成されており、かかるゴム層や弾性樹脂層の表面には、突板部３１２、３２２、３３２、３４２の凹部３５が反映されて溝９６が形成されている。かかる構成によっても、表示装置１００の組み立て工程において、滑り止め部材９の上に表示パネル１０を載置した後、表示パネル１０の位置をずらして位置を調整することができる。
【００７６】
［実施の形態６］
図１５は、本発明の実施の形態６に係る表示装置１００に用いた滑り止め部材９の溝９６の形状を示す説明図である。実施の形態１〜４では、溝９６として断面矩形の溝を形成したが、図１５（ａ）に示すように、Ｖ字形状の溝９６を形成してもよい。また、図１５（ｂ）に示すように、溝９６の幅寸法が凸部９７の幅寸法より大に設定されている滑り止め部材９を用いてもよい。また、図１５（ｃ）に示すように、凸部９７が断面Ｖ字形状となるように断面台形の溝９６を形成した滑り止め部材９を用いてもよい。
【００７７】
［実施の形態７］
図１６は、本発明の実施の形態７に係る表示装置１００において第１フレームの突板部の上面の様子を示す説明図であり、図１６（ａ）、（ｂ）、（ｃ）は、突板部３１２、３２２、３３２、３４２の上面に滑り止め部材９が設けられている様子を示す斜視図、その分解図、および表示パネル１０が第１フレーム３０と第２フレーム５０との間に挟持されている様子を示す断面図である。
【００７８】
上記実施の形態１等においては、滑り止め部材９の接着領域を全周で囲むように延在するパネル支持用凸部３７を設け、かかるパネル支持用凸部３７によって囲まれた凹部３６の内部に滑り止め部材９を接着固定した。但し、図１６に示すように、第１フレーム３０の突板部３１２、３２２、３３２、３４２にパネル支持用凸部３７や凹部３６を設けずに平坦面とし、かかる平坦面上に滑り止め部材９を接着固定してもよい。
【００７９】
かかる構成でも、滑り止め部材９の厚みを適正化すれば、パネル支持用凸部３７がなくても表示パネル１０を十分に保持することができる。また、図１６に示す構成の場合、表示装置１００の薄型化に伴って滑り止め部材９を薄くした場合でも、パネル支持用凸部３７のみが表示パネル１０に直接当接することがない。従って、組み立て時に表示パネル１０がパネル支持用凸部３７から大きな応力を受けてムラが発生するという事態を回避することができるとともに、表示パネル１０を安定した状態で保持することができる。
【００８０】
また、図１６に示す構成は、図９等を参照して説明した滑り止め部材７を設けた側にも適用でき、滑り止め部材７の厚みを適正化すれば、シート支持用凸部３９がなくても光学シート（拡散シート１８２、プリズムシート１８３、１８４）を十分に保持することができる。また、表示装置１００の薄型化に伴って滑り止め部材７を薄くした場合でも、シート支持用凸部３９のみが光学シートに直接当接することがないので、組み立て時に光学シートがシート支持用凸部３９から大きな応力を受けてムラが発生するという事態を回避することができるとともに、光学シートを安定した状態で保持することができる。
【００８１】
［実施の形態８］
図１７は、本発明の実施の形態８に係る表示装置１００において第１フレームの突板部の上面の様子を示す説明図であり、図１７（ａ）、（ｂ）、（ｃ）は、突板部３１２、３２２、３３２、３４２の上面に滑り止め部材９が設けられている様子を示す斜視図、その分解図、および表示パネル１０が第１フレーム３０と第２フレーム５０との間に挟持されている様子を示す断面図である。
【００８２】
上記実施の形態１等においては、滑り止め部材９の接着領域を全周で囲むように延在するパネル支持用凸部３７を設け、かかるパネル支持用凸部３７によって囲まれた凹部３６の内部に滑り止め部材９を接着固定した。但し、図１７に示すように、第１フレーム３０の突板部３１２、３２２、３３２、３４２にパネル支持用凸部３７を設けずに凹部３６のみを設け、かかる凹部３６の内部に滑り止め部材９を接着固定してもよい。この場合、表示装置１００を組み立てる前の状態で、滑り止め部材９の一部が凹部３６から突出した状態にある。
【００８３】
かかる構成でも、滑り止め部材９の厚みや凹部３６の深さを適正化すれば、パネル支持用凸部３７がなくても表示パネル１０を十分に保持することができる。また、表示装置１００を組み立てた状態で突板部３１２、３２２、３３２、３４２の表面のうち、凹部３６以外の部分が表示パネル１０の側に接するように構成する場合でも、パネル支持用凸部３７を省略した分、実施の形態１等に比して突板部３１２、３２２、３３２、３４２の厚さを厚くすることができ、強度を高めることができる。
【００８４】
また、図１７に示す構成の場合、表示装置１００の薄型化に伴って滑り止めシ部材９を薄くした場合でも、パネル支持用凸部３７のみが表示パネル１０に直接当接することがない。従って、組み立て時に表示パネル１０がパネル支持用凸部３７から大きな応力を受けてムラが発生するという事態を回避することができるとともに、表示パネル１０を安定した状態で保持することができる。
【００８５】
また、図１７に示す構成は、図９等を参照して説明した滑り止め部材７を設けた側にも適用でき、滑り止め部材７の厚みや凹部３８の深さを適正化すれば、シート支持用凸部３９がなくても光学シート（拡散シート１８２、プリズムシート１８３、１８４）を十分に保持することができる。また、表示装置１００の薄型化に伴って滑り止め部材７を薄くした場合でも、シート支持用凸部３９のみが光学シートに直接当接することがないので、組み立て時に光学シートがパネル支持用凸部３９から大きな応力を受けてムラが発生するという事態を回避することができるとともに、光学シートを安定した状態で保持することができる。
【００８６】
［表示パネル１０の他の構成例］
上述実施形態では、表示パネル１０として液晶パネルを例示したが、表示パネル１０として、有機エレクトロルミネッセンス表示パネル、プラズマ表示パネル等を用いた場合に本発明を適用してもよい。
【００８７】
［電子機器への搭載例］
上述実施形態では、表示装置１００を搭載した電子機器２０００として、液晶テレビを例示したが、液晶テレビ以外にも、パーソナルコンピューターのディスプレイ、デジタルサイネージ、カーナビゲーション装置、携帯用情報端末等の電子機器の表示部に本発明を適用した表示装置１００を用いてもよい。
【符号の説明】
【００８８】
８・・照明装置、９・・滑り止め部材、１０・・表示パネル、３０・・第１フレーム、５０・・第２フレーム、８０・・導光板、８９・・発光素子（光源）、９０・・パネル支持面、９６・・溝、１００・・表示装置、１００ａ・・画像表示領域
【図１】
0005737060.tif 000002
【図２】
0005737060.tif 000003
【図３】
0005737060.tif 000004
【図４】
0005737060.tif 000005
【図５】
0005737060.tif 000006
【図６】
0005737060.tif 000007
【図７】
0005737060.tif 000008
【図８】
0005737060.tif 000009
【図９】
0005737060.tif 000010
【図１０】
0005737060.tif 000011
【図１１】
0005737060.tif 000012
【図１２】
0005737060.tif 000013
【図１３】
0005737060.tif 000014
【図１４】
0005737060.tif 000015
【図１５】
0005737060.tif 000016
【図１６】
0005737060.tif 000017
【図１７】
0005737060.tif 000018